(57)【要約】  【課題】  この発明はガゼット袋に幅のある品物を入れた時、この品物と前記ガゼット部の幅が一致しないときでも、前記のガゼット部の傾斜溶着部と袋の一辺に設けた溶着部との交点に荷重乃至応力の集中しない袋を提供する。【解決手段】  この発明は熱可塑性合成樹脂フイルム製のガゼット袋において、  前記袋の折り曲げ縁より４５度傾斜して、二枚ずつのフイルムを溶着した傾斜溶着部は袋の底溶着部に達することなく、その長さは前記底熱溶着縁に向けてガゼット折り込み深さの半分乃至７５％位置長さとしてあり、前記傾斜溶着部と前記溶着縁との間に非溶着場所が形成してあることを特徴とするガゼット袋とした。【選択図】  図６
2006044709.tif 000002
【特許請求の範囲】
【請求項１】
熱可塑性合成樹脂フイルム製の袋の底、側縁のうちの一方にガゼット折り込みがあり、このガゼット折り込みのある辺と直角の隣の辺が全長において前記ガゼット折り込みのある部分を含めて、重ね合わせてある全てのフイルムが熱溶着してあるガゼット袋において、
前記ガゼット折り曲げ縁と前記溶着縁で挟まれた袋の角から、ガゼット折り込みのある辺に沿い、前記ガゼット深さ離れた位置のフイルム折り曲げ縁から2枚ずつのフイルムを前記熱溶着縁に向けてそれぞれ独立して４５度傾斜した溶着部が形成してあり、これら傾斜溶着部の長さは前記ガゼット折り込み深さの半分乃至７５％位置まで形成してあることを特徴とするガゼット袋。
【請求項２】
前記請求項１記載の袋の口縁には袋のフイルムとは別の吊り下げ手が溶着してある請求項１記載のガゼット袋。
【請求項３】
前記請求項１記載の袋の口縁には袋のフイルムと一体の吊り下げ手が形成してある請求項１記載のガゼット袋。
【請求項４】
インフレーション方式により製造された両側ガゼット折り込みの熱可塑性合成樹脂製チューブラーフイルムを用い、
この袋素材帯を一枚の袋の長さ相当寸法ずつ、その長さ方向に間歇移送し、その停止時毎に、最初のステーションにおいて、左右のガゼット折り込みの間に熱溶着しない離型シートを挿入しておき、前記袋素材帯の両面より袋素材帯の進行方向に対し４５度傾斜した左右２組上下一対のヒートシーラを、袋素材帯に上下より圧接し、傾斜溶着部をガゼット折り込みの二枚ずつのフイルム上下二組それぞれ形成する、
次にその下流側に任意のステーションにおいて、前記傾斜溶着部の延長線上であって、前記ガゼット折り込みとの交点を通り、袋の底と吊り下げ手を形成する部分と袋の底を形成するため、袋素材帯の横断方向に両ガゼット折り込みを含んで四枚のフイルムを溶着し、その溶着幅の中央を溶断乃至切断する、
このようにして密閉袋を順次製袋し、これらを整然と適宜枚数ずつ重ね、前記の吊り下げ手及び開口部を形成するため、密閉袋の上端縁であり、両側のガゼット折り込み部からU字乃至緩やかなW字形状に打ち抜き目的のガゼット袋の製造方法。
【発明の詳細な説明】
【技術分野】
【０００１】
この発明は熱可塑性合成樹脂性フイルム製のガゼット折り込み袋に関し、幅のある品物を入れる袋に関する。
【背景技術】
【０００２】
従来一般に知られているガゼット折り込み袋は底ガゼット袋又は両側ガゼット折り込み袋（図１１参照）である。
従って、中に入れる品物の幅と前記のガゼット折り込みの幅が一致する場合は問題ないが、殆どの場合一致しない。
このような時には、ガゼット部の傾斜溶着部と袋の一辺に設けた溶着部との交点に荷重乃至応力の集中が起こり、この部分が破れる傾向にある。
前記交点の溶着部が別の目的で若干離反させガゼット折り込み袋は特公平５−２３９４４公報で知られているが、傾斜溶着部の端部とガゼット折り込みと直行する袋の辺の溶着部が接近しており、前記の荷重乃至応力の集中の回避が不十分であった。
【特許文献１】特公平５−２３９４４号特許公報
【発明の開示】
【発明が解決しようとする課題】
【０００３】
この発明はガゼット袋に幅のある品物を入れた時、この品物と前記ガゼット部の幅が一致しないときでも、前記のガゼット部の傾斜溶着部と袋の一辺に設けた溶着部との交点に荷重乃至応力の集中が回避でき、また前記のような品物と前記ガゼット部の幅が一致しないときでも袋の形態が著しく崩れず、体裁のよいガゼット袋を市場に提供することである。
【課題を解決するための手段】
【０００４】
前記の課題を解決するために、特許請求の範囲の各項記載の発明とした。即ち
この発明は熱可塑性合成樹脂フイルム製の袋の底、側縁のうちの一方にガゼット折り込みがあり、このガゼット折り込みのある辺と直角の隣の辺が全長において前記ガゼット折り込みのある部分を含めて、重ね合わせてある全てのフイルムが熱溶着してあるガゼット袋において、
前記ガゼット折り曲げ縁と前記溶着縁で挟まれた袋の角からガゼット折り込みのある辺に沿い、前記ガゼット深さ離れた位置のフイルム折り曲げ縁から2枚ずつのフイルムを前記熱溶着縁に向けてそれぞれ独立して４５度傾斜した溶着部が形成してあり、これら傾斜溶着部の長さは前記ガゼット折り込み深さの半分乃至７５％位置までの長さとしてあり、前記傾斜溶着部と前記溶着縁との間に非溶着場所が形成してあることを特徴とするガゼット袋とした。
【０００５】
また前記の課題を達成するためにこの発明のガゼット袋の口縁には袋のフイルムとは別の袋吊り下げ手が溶着してあることを特徴とする。
前記の課題を達成するためにこの発明のガゼット袋の袋の口縁には袋のフイルムと一体の吊り下げ手が形成してあることを特徴とする。
【０００６】
前記のガゼット袋を製造する関連発明の方法はインフレーション方式により製造された両側ガゼット折り込みの熱可塑性合成樹脂製チューブラーフイルムを用い、
この袋素材帯を一枚の袋の長さ相当寸法ずつ．その長さ方向に間歇移送し、その停止時毎に、最初のステーションにおいて、左右のガゼット折り込みの間に熱溶着しない離型シートを挿入しておき、前記袋素材帯の両面より袋素材帯の進行方向に対し４５度傾斜した左右２組上下一対のヒートシーラを、袋素材帯に上下より圧接し、傾斜溶着部をガゼット折り込みの二枚ずつのフイルム上下二組それぞれ形成する、
次にその下流側に任意のステーションにおいて、前記傾斜溶着部の延長線上であって、前記ガゼット折り込みとの交点を通り、袋の底と吊り下げ手を形成する部分と袋の底を形成するため、袋素材帯の横断方向に両ガゼット折り込みを含んで四枚のフイルムを溶着し、その溶着幅の中央を溶断乃至切断する、
このようにして密閉袋を順次製袋し、これらを整然と適宜枚数ずつ重ね、前記の吊り下げ手及び開口部を形成するため、密閉袋の上端縁であり、両側のガゼット折り込み部からU字乃至緩やかなW字形状に打ち抜き目的のガゼット袋の製造方法とする。
【発明の効果】
【０００７】
前記請求項1乃至３項記載の発明は前述の通りの構成であるから、従来の袋のように、荷重乃至応力の集中する場所が一点ではなく，両側の傾斜溶着部に分散し、またこの傾斜溶着部が二枚重ね厚手に溶着されて、他の部分より幾分剛性及び強度が高まり、包装される物品の幅が角底となる袋の底の幅よりも狭い場合であっても、袋の形態，殊に隅角部近傍の形態が崩れず、品物がみだりに傾斜せず袋の中で安定し、調理食品や弁当などの持ち帰り食品の携行に安定し最適である。
前記傾斜溶着部の長さが前記の範囲より短い時は袋を角底に保つ効果は少ないし、長すぎるときは、前記の荷重乃至応力集中の回避が不十分である。
また傾斜溶着部がガゼット折り込みの谷の位置までないため、これをインフレーション方式により製造されたチューブラーフイルムより製袋するとき、両側ガゼット折り込みの中にフッ素樹脂シート、シリコンゴム薄板などの離型シートを挿入し、上下より傾斜方向にシール面を持つヒートシーラにより簡単に溶着でき、装置も簡単となり、製袋加工コストが節約できる。
【０００８】
請求項２記載の袋においては、吊り下げ手部分も袋を構成するフイルムの一部で形成したものであるから、多数枚の袋を積み重ねて保管する時にも一部が嵩高にならず、保管乃至輸送が容易である。
請求項３記載の発明においては、袋の手提げ部分に別個のハンドルを取り付けたものであるから、ファッション性にも優れた袋となる。
請求項4記載の方法発明においては前記の請求項３記載のガゼット袋が容易に製袋できる効果を奏する。
【発明を実施するための最良の形態】
【０００９】
実施の形態１
図１に示すものであり、袋素材帯Ｆとして熱可塑性合成樹脂をインフレーション方式によりチューブラーフイルムの両側又は片側ガゼット折り込み１０したものを用い、又はガゼット折り込み１０の片側のガゼット折り込み底１１又はガゼット折り込みのない側縁を順次切開１２し、この袋素材帯Fを通常製袋すべき袋の幅相当寸法ピッチで間歇で間歇移送しその停止時毎に前記切開１２とは反対側のガゼット折り込み１３の各二枚毎のフイルムをその折り曲げ縁１４より斜め４５度にハの字に溶着して傾斜溶着部１５を順次形成し、これと同一ステーションの先の切開１２によって形成された折り返し部１６部分を含めて、一括に手提げ用の長孔１８を穿孔する。折り返し部１６の無い袋素材帯Fを用いる場合はそのまま長孔１８を穿孔してある。よって前記長孔１８及びその周りのフイルムによって形成されている吊り下げ手２２は袋の厚みと同じである。
このステーションより、袋素材帯Ｆの搬送方向を基準として下流側の別のステーションにおいて、前記ハの字の傾斜溶着部１５の丁度中間を袋素材帯Ｆの横断方向に、双方のガゼット折り込み１０及び１３の部分を含めて、横断方向にやや広幅例えば５ｍｍ乃至７ｍｍに溶着するか、或いはこれと同時にその溶着部の幅のセンターを溶断し、両側に溶着部１７のある底ガゼット両サイド溶着型の袋Ｂを順次製袋する。
前記溶着部１７をやや広幅に溶着する代わりに、細い二本溶着の場合もある。この場合は溶断の代わり下流側にステーションにおいて二本の溶着部の間を切断する。
【００１０】
このようにして形成された底ガゼット型袋の前記各傾斜溶着部１５は袋Ｂの底の折り曲げ縁１４より４５度傾斜し、その長さは前記ガゼット折り込み１３の深さの半分乃至７５％位置として、前記側縁の溶着部１７との前記ガゼット折り込み１３の底１９の交点Ｐにまで達してなく、この交点Ｐと傾斜溶着部１５の先端との間には非溶着部Ｎが形成された袋Bとなっている（図１参照）。
【００１１】
実施の形態２
実施の形態１と同一符号のところは同一の構成部分である。異なるところは前記長孔１８の周りの二枚のフイルムが溶着して補強溶着部２０が形成した点である（図２参照）。
【００１２】
実施の形態３
実施の形態２と同一符号のところは同一の構成部分である。異なるところは前記長孔１８の周りの二枚のフイルムを溶着するときに、長孔１８の周りに別に成型した熱可塑性合成樹脂製の環状の長孔マウス片２１を熱溶着した点である（図３参照）。
この実施の形態１の袋Ｂを広げ角底にし、側溶着部１７のある側より見ると図４に示す通りになり、傾斜溶着部１５と側溶着部１７の間に非溶着場所Ｎが広がっている。
このようになっている各実施の形態１乃至３においては内部に品物を入れても、袋Ｆの底の折り曲げ縁１４の両端部は傾斜溶着部１５によって、二枚ずつのフイルムが溶着され（図５参照）、その部分において一体となっているから、形態が崩れ難く、特に前記Ｐ点付近に非溶着場所Nが形成されているため、前記Ｐ点に荷重乃至応力集中が起こらず、この部分からの袋の破断は絶無に等しい。
【００１３】
実施の形態４
図６及び図７に示すものであり、底溶着型の両側ガゼット折り込み型袋B１である。
つまりインフレーション方式によりチューブラーフイルムとしたものを袋素材帯F１とし、この両側にガゼット折り込み１３ａを施し、底部２３を袋素材帯F１の横断方向に前記ガゼット折り込み１３ａと共に熱溶着し、前記底溶着部１７aを形成している。
この底溶着部１７ａとガゼット折り込み底１９ａの交点Pに向け、袋Bの側縁の折り曲げ縁１４ａより、それずれ二枚ずつのフイルムが４５度傾斜して溶着されて傾斜溶着部１５ａが形成され、これら傾斜溶着部１５ａの各長さは前記折り曲げ縁１４ａから点Pまでの長さの半分乃至７５％位置までの長さとしてある。従ってこれら傾斜溶着部１５ａの先端と点Pの間には非溶着場所Nが形成された状態となっている。
また袋の開口部２４側のガゼット折り込み１３ａの部分は4枚のフイルム全部が溶着された吊り下げ手溶着部１７ｂがそれぞれ形成してあり、中央部は袋の前記吊り下げ手溶着部１７ｂから袋底方向にU字乃至丸みあるW字形状にくり抜き、左右に吊り下げ手２２ａが形成されたものである。
【００１４】
このように形成された実施の形態４の袋B１において、底部２３を広げ角底状態にすると袋Ｂ１の底面形状は図７に示す通りとなる。
袋B１にガゼット折り込み１３ａ幅の概ね２倍幅の品物を挿入すると、図８Ｙのように袋B１の側端面においては袋B１の稜線２５部分の下部においては、前記傾斜溶着部１５ａによって、角張った状態となり、内部の品物は安定して支持される。
また、品物の幅が前記ガゼット折り込み１３a幅の概ね２倍幅よりかなり狭い場合であっても、前記袋B１の起立した稜線２５は、やはり前記の傾斜溶着部１５ａによって、垂直方向のフィンのような形態（図８Ｘ参照）となり、袋B１の内部の品物はやはり安定する。また袋B１の点Pの荷重乃至応力の集中は起こらず、この部分から袋が破断することはない。
【００１５】
実施の形態５
前述の実施の形態４に示す袋B１の製造方法の一例請求項４記載の方法発明の実施の形態５として、これを次に説明する。
袋素材帯F１としてはインフレーション方式により製造された両側ガゼット折り込みの熱可塑性合成樹脂製チューブラーフイルムを用いる。
この袋素材帯F１を一枚の袋B１の長さ相当寸法ずつ、例えば一対挟持型の移送ローラ（図示してない）を用い、その長さ方向に間歇移送し、その停止時毎に、最初のステーションS１において、左右のガゼット折り込み１３ａの間に熱溶着しない離型シート例えば製袋装置の機枠に固定してあるフッ素樹脂シート、シリコンゴムシートなどよりなる離型シート３１を移動しないように挿入して、おき、前記袋素材帯F１の両面より袋素材帯F１の進行方向に対し４５度傾斜した左右2組で上下一対のヒートシーラ３２を、袋素材帯F１に圧接し、傾斜溶着部１５ａをガゼット折り込み１３ａの二枚ずつのフイルムを溶着して形成する。このとき傾斜溶着部１５の位置は両側縁の折り曲げ縁より、ガゼット折り込み１３ａの底１９まで達しない位置とし、その内端位置は折り曲げ縁より、ガゼット折り込み１３ａの深さの半分乃至７５％位置とする。
【００１６】
次にその下流側に任意のステーションS２において、袋の底と手提げ部を形成する袋素材帯F１の横断方向に両ガゼット折り込み１３ａを含む四枚のフイルムを溶着し、その溶着部１７ａの幅の中央を溶断２６とする。このとき前記溶着部１７ａの位置は前記傾斜溶着部１５ａの延長線上であり、ガゼット折り込み底１９ａの交点Pを通る位置とする。
或いは広幅に熱溶着部１７ａを形成し、更に次のステーションにおいて溶着幅の中央を切断する。吊り下げ手２２ａのトップの吊り下げ手溶着部１７ｂとに分割される（図９参照）。或いは同一ステーションにおいて、同時に溶断する。
このようにして密閉袋B０を順次製袋し、これらを整然と適宜枚数ずつ重ね、前記の吊り下げ手及び開口部を形成するため、密閉袋B０の一端の両側のガゼット折り込み１３ａ部からU字乃至緩やかなW字形状に総型カッターによって一括打ち抜き３３し、実施の形態４の吊り下げ手２２ａのある袋B１を製造する。
この袋の製袋方法に用いる溶着装置３０は左右2組設けてあり、相互に相接近離反し（図１０参照）、任意の場所で機枠に固定自在に設けてあり、袋素材帯F２の幅に対応可能に設けてある。また片側の傾斜溶着装置を更に溶着装置３０ａを付加して、袋素材帯F１の片側のみがハ字型の溶着装置としてある。
このようにすれば、図９の左側の溶着装置３０のヒートシーラを長孔１８穿孔刃に取り替えれば、実施の形態1乃至３の製袋にも使用でき、実施の形態４に使用するときは、前記溶着装置３０ａのヒートシーラを外して使用しないか、この電熱スイッチを切っておけばよく、前記のすべての実施の形態の製袋に対応できる。
その他実施の形態１と同一符号の所は同一の部分を示す。
【図面の簡単な説明】
【００１７】
【図１】実施の形態１の平面図である。
【図２】実施の形態２の平面図である。
【図３】実施の形態３の平面図である。
【図４】図１乃至図３に袋の底を角底に広げた上体の側面図である。
【図５】図1乃至図３の一部破断斜視図である。
【図６】実施の形態４の平面図である。
【図７】図６の袋に実施の形態１の底面図である。
【図８】ＸＹは実施の形態４の袋に品物を入れた状態の斜視図である。
【図９】実施の形態４の製造方法の実施の形態を示す、概略工程図である。
【図１０】袋の傾斜溶着部製造中の第9図D―D矢視拡大断面図である。
【図１１】従来例のガゼット袋のそれぞれ平面図である。
【符号の説明】
【００１８】
F、F１    袋素材帯
Ｐ      点
N      非溶着場所
１０    ガゼット折り込み
１１    ガゼット折り込み底
１２    切開
１３    他のガゼット折り込み
１３ａ  両側ガゼット折り込み
１４    折り曲げ縁
１５、１５ａ    傾斜溶着部
１６    折り返し部
１７    側縁溶着部
１７ａ  底溶着部
１７ｂ  吊り下げ手溶着部
１８    長孔
１９、１９ａ  ガゼット折り込み底
２０    補強溶着部
３０、３０ａ  溶着装置
３１    離型シート
３２、３２ａ    ヒートシーラ
【図１】
2006044709.tif 000003
【図２】
2006044709.tif 000004
【図３】
2006044709.tif 000005
【図４】
2006044709.tif 000006
【図５】
2006044709.tif 000007
【図６】
2006044709.tif 000008
【図７】
2006044709.tif 000009
【図８】
2006044709.tif 000010
【図９】
2006044709.tif 000011
【図１０】
2006044709.tif 000012
【図１１】
2006044709.tif 000013